(57)【特許請求の範囲】
【請求項１】
（Ａ）成分：下記一般式（１）で表される非イオン性界面活性剤と、（Ｂ）成分：下記一般式（２）で表される化合物及び下記一般式（３）で表される化合物からなる群から選ばれる少なくとも１種の陰イオン性界面活性剤と、（Ｃ）成分：メタノール、エタノール、プロパノール、ブタノール、エチレングリコール、プロピレングリコール、ブチレングリコール、ブチルカルビトール、フェノキシエタノール、及び平均分子量５７０〜３８００のポリエチレングリコールからなる群から選ばれる少なくとも２種の水性混和性溶剤とを含有し、
前記（Ａ）成分と前記（Ｂ）成分の含有量の合計が４０〜７５質量％であり、かつ前記（Ａ）成分と前記（Ｂ）成分の含有量の合計に対する前記（Ｂ）成分の質量比が、（Ｂ）成分／｛（Ａ）成分＋（Ｂ）成分｝＝１／１０〜６／１０であることを特徴とする液体洗浄剤組成物。
Ｒ１Ｏ（ＣＨ２ＣＨ２Ｏ）ｎＨ    ・・・（１）
Ｒ２ＣＨ（ＳＯ３Ｍ１）ＣＯＯＲ３    ・・・（２）
Ｒ４ＣＨ（ＳＯ３Ｍ２）ＣＯＮＨＲ５    ・・・（３）
（式（１）〜（３）中、Ｒ１は炭素数１０〜２２の直鎖状のアルキル基であり、Ｒ２は炭素数９〜１４の直鎖状もしくは分岐鎖状のアルキル基、又は炭素数９〜１６の直鎖状もしくは分岐鎖状のアルケニル基であり、Ｒ３は炭素数１〜３の直鎖状もしくは分岐鎖状のアルキル基であり、Ｒ４は炭素数９〜１４の直鎖状もしくは分岐鎖状のアルキル基、又は炭素数９〜１６の直鎖状もしくは分岐鎖状のアルケニル基であり、Ｒ５は水素、又は水酸基を有していてもよい炭素数１〜３の直鎖状もしくは分岐鎖状のアルキル基であり、Ｍ１及びＭ２はそれぞれ同一又は異なって、アルカリ金属、アルカリ土類金属、水酸基を有していてもよい総炭素数が１〜６であるプロトン化された１〜３級アミン、又はアンモニウムであり、ｎはエチレンオキサイドの平均付加モル数を示し、５〜２０である。）
【請求項２】
前記（Ｃ）成分が、少なくともエタノールを含むことを特徴とする請求項１に記載の液体洗浄剤組成物。
【請求項３】
前記（Ｃ）成分が、少なくともエタノールと、平均分子量が５７０〜１０５０のポリエチレングリコールを含むことを特徴とする請求項１又は２に記載の液体洗浄剤組成物。
【請求項４】
前記（Ａ）成分の含有量が２０〜６０質量％、前記（Ｂ）成分の含有量が４〜４５質量％、前記（Ｃ）成分の含有量が２〜２０質量％であることを特徴とする請求項１〜３のいずれか１項に記載の液体洗浄剤組成物。
【請求項５】
前記（Ａ）成分と前記（Ｂ）成分の含有量の合計に対する前記（Ｂ）成分の質量比が、（Ｂ）成分／｛（Ａ）成分＋（Ｂ）成分｝＝２／１０〜５／１０であることを特徴とする請求項１〜４のいずれか１項に記載の液体洗浄剤組成物。
【発明の詳細な説明】
【技術分野】
【０００１】
本発明は、液体洗浄剤組成物に関する。
本願は、２００９年１０月１５日に日本に出願された特願２００９−２３８３５４号に基づき優先権を主張し、その内容をここに援用する。
【背景技術】
【０００２】
近年、地球環境にやさしい製品の開発の重要性がいっそう増しており、衣料用洗剤のような日用品分野でも地球環境に配慮した商品が求められている。例えば、物流エネルギーの削減やゴミの減量が期待されることから、洗剤容器の小型化が進んでいる。それに伴い、少ない洗剤量で高い皮脂洗浄力を発現できるように、液体洗浄剤の濃縮化が求められている。液体洗浄剤の濃縮化には、洗濯時に水で希釈してもゲル化して皮脂洗浄力が低下しないことが求められている。特に、皮脂汚れに対して直接塗布した際、冬場の低温（１５℃程度）でも、衣類に付着して溶け残ることがない溶解性が求められる。【０００３】
このような要望に対し、非イオン性界面活性剤や陰イオン性界面活性剤を主基剤とする液体洗浄剤組成物が広く用いられている。
例えば特許文献１には、非イオン性界面活性剤として、エチレンオキサイド及びプロピレンオキサイドを付加させた第１級アルコールエトキシレートと、第２級アルコールエトキシレートとを併用した液体洗浄剤組成物が開示されている。
また、特許文献２には、陰イオン性界面活性剤としてα−スルホ脂肪酸アルキルエステル塩を３５〜８０質量％と、炭素数６〜２２のアルコールを含有する、液体洗浄剤組成物への適用が容易な界面活性剤組成物が開示されている。【０００４】
また、皮脂洗浄力が高く、かつ価格や汎用性に優れる点で、非イオン性界面活性剤として第１級アルコールエトキシレートを用いた液体洗浄剤組成物が着目されている。
しかし、一般に、界面活性剤は高濃度の領域においてヘキサゴナル液晶などの高粘度の高次会合構造を形成しやすく、第１級アルコールエトキシレートの場合はその濃度が４０質量％以上の高濃度になると、かなり広範な濃度領域で高粘度の液晶相を形成することが知られている。このように第１級アルコールエトキシレートは、その高粘度化領域が大きいため濃度が高くなるにつれて高粘度化しやすく、特に４０質量％以上配合した濃縮型の液体洗浄剤組成物とすることは困難であった。
さらに、第１級アルコールエトキシレートを高濃度に含むと、洗濯浴中に投入された際の溶解性が低下しやすくなり、特に冬場において低温の水で洗濯した場合には、洗濯終了時に衣類にゲル状の付着物が残るなどの不具合が発生しやすかった。【０００５】
このような問題に対し、溶解性を改善するためにハイドロトロープ剤を配合する方法が知られている。
しかし、より高濃度で溶解性に優れる液体洗浄剤組成物とするためには、組成物中のほとんどを第１級アルコールエトキシレートとハイドロトロープ剤とする必要があり、洗剤に必要な酵素やキレート剤などの機能成分を十分に配合できない。【０００６】
第１級アルコールエトキシレートを配合した液体洗浄剤組成物としては、例えば以下に示すものが知られている。
特許文献３には、高濃度で陰イオン性界面活性剤を含有し、かつ経日での増粘を抑制するために、第１級アルコールエトキシレートと、５０〜８０質量％の陰イオン性界面活性剤（α−スルホ脂肪酸エステル塩など）と、平均分子量２００〜８００のポリエチレングリコールを含有する高濃度アニオン界面活性剤水性ペーストが開示されている。
特許文献４には、低濃度で高い洗浄性能を発現させるために、第１級アルコールエトキシレートと、ポリオキシアルキレンアミンを含有する衣料用液体洗浄剤組成物が開示されている。
特許文献５には、第１級アルコールエトキシレートと、アルキルベンゼンスルホン酸塩（ＬＡＳ）やポリオキシエチレンアルキルエーテルの硫酸エステル塩（ＡＥＳ）などの陰イオン性界面活性剤とを併用した液体洗浄剤組成物が開示されている。
特許文献６及び７には、第１級アルコールエトキシレートと、α−スルホ脂肪酸誘導体やポリアルキレングリコールモノメチルエーテル不飽和脂肪酸エステルのスルホン化物又はその塩などの陰イオン性界面活性剤とを含有する液体濃厚洗浄剤組成物が開示されている。
【先行技術文献】
【特許文献】
【０００７】
【特許文献１】特開平１１−２４１０９２号公報
【特許文献２】特開２００８−９４９４２号公報
【特許文献３】特開２００１−２８８５００号公報
【特許文献４】特開２００５−１７１１９５号公報
【特許文献５】特開平９−１７６６８５号公報
【特許文献６】特開平８−２６９４８５号公報
【特許文献７】特開平９−７８０９２号公報
【発明の概要】
【発明が解決しようとする課題】
【０００８】
しかしながら、特許文献１に記載の液体洗浄剤組成物や、特許文献２に記載の界面活性剤組成物を用いた液体洗浄剤組成物では、皮脂汚れに対する洗浄性（皮脂洗浄力）が必ずしも十分ではなかった。
また、特許文献３に記載の高濃度アニオン界面活性剤水性ペーストは、陰イオン性界面活性剤を高濃度（５０質量％以上）に含有させる場合の流動性を改善するものであって、低温（５℃程度）での保存安定性や低温溶解性（１５℃程度）、皮脂洗浄力を満足するものではなかった。
特許文献４に記載の衣料用液体洗浄剤組成物では、低温保存時に高粘度化することがあった。
特許文献５に記載の液体洗浄剤組成物では、ＬＡＳやＡＥＳを３０質量％以上含有しており、必ずしも地球環境に配慮した組成物ではなかった。
特許文献６及び７に記載の液体濃厚洗浄剤組成物では、陰イオン性界面活性剤を合成する際にコストがかかりやすく、価格や汎用性の面で不十分であった。また、生分解性にも劣っていた。【０００９】
本発明は上記事情を鑑みてなされたものであり、界面活性剤を高濃度に含有し、かつ低温保存安定性が良好であり、洗浄時における低温溶解性及び皮脂洗浄力に優れた液体洗浄剤組成物を提供することを目的とする。
【課題を解決するための手段】
【００１０】
本発明者らは鋭意検討した結果、第１級アルコールエトキシレートと、特定の陰イオン性界面活性剤を特定量配合し、かつ特定の２種以上のハイドロトロープ剤を用いることで、高粘度化の発生を抑制しつつ、かつ低温溶解性を低下させることなく高濃度で界面活性剤を配合できることを見出した。さらに、低温溶解性を維持できるので、ハイドロトロープ剤を高配合する必要がなく、酵素やキレート剤などの機能成分をも十分に配合できることを見出し、本発明を完成するに至った。【００１１】
すなわち、本発明の１つの側面としては、（Ａ）成分：下記一般式（１）で表される非イオン性界面活性剤と、（Ｂ）成分：下記一般式（２）で表される化合物及び下記一般式（３）で表される化合物からなる群から選ばれる少なくとも１種の陰イオン性界面活性剤と、（Ｃ）成分：メタノール、エタノール、プロパノール、ブタノール、エチレングリコール、プロピレングリコール、ブチレングリコール、ブチルカルビトール、フェノキシエタノール、及び平均分子量が５７０〜３８００のポリエチレングリコールからなる群から選ばれる少なくとも２種の水性混和性溶剤とを含有し、前記（Ａ）成分と前記（Ｂ）成分の含有量の合計が４０〜７５質量％であり、かつ前記（Ａ）成分と前記（Ｂ）成分の含有量の合計に対する前記（Ｂ）成分の質量比が、（Ｂ）成分／｛（Ａ）成分＋（Ｂ）成分｝＝１／１０〜６／１０であることを特徴とする液体洗浄剤組成物に関する。
Ｒ１Ｏ（ＣＨ２ＣＨ２Ｏ）ｎＨ    ・・・（１）
Ｒ２ＣＨ（ＳＯ３Ｍ１）ＣＯＯＲ３    ・・・（２）
Ｒ４ＣＨ（ＳＯ３Ｍ２）ＣＯＮＨＲ５    ・・・（３）
【００１２】
式（１）〜（３）中、Ｒ１は炭素数１０〜２２の直鎖状のアルキル基であり、Ｒ２は炭素数９〜１４の直鎖状もしくは分岐鎖状のアルキル基、又は炭素数９〜１６の直鎖状もしくは分岐鎖状のアルケニル基であり、Ｒ３は炭素数１〜３の直鎖状もしくは分岐鎖状のアルキル基であり、Ｒ４は炭素数９〜１４の直鎖状もしくは分岐鎖状のアルキル基、又は炭素数９〜１６の直鎖状もしくは分岐鎖状のアルケニル基であり、Ｒ５は水素、又は水酸基を有していてもよい炭素数１〜３の直鎖状もしくは分岐鎖状のアルキル基であり、Ｍ１及びＭ２はそれぞれ同一又は異なって、アルカリ金属、アルカリ土類金属、水酸基を有していてもよい総炭素数が１〜６であるプロトン化された１〜３級アミン、又はアンモニウムであり、ｎはエチレンオキサイドの平均付加モル数を示し、５〜２０である。【００１３】
また、本発明の別の側面としては、前記（Ｃ）成分が、少なくともエタノールを含むことを特徴とする液体洗浄剤組成物に関する。【００１４】
また、本発明の別の側面としては、前記（Ｃ）成分が、少なくともエタノールと、平均分子量が５７０〜１０５０のポリエチレングリコールを含むことを特徴とする液体洗浄剤組成物に関する。【００１５】
また、本発明の別の側面としては、前記（Ａ）成分の含有量が２０〜６０質量％、前記（Ｂ）成分の含有量が４〜４５質量％、前記（Ｃ）成分の含有量が２〜２０質量％であることを特徴とする液体洗浄剤組成物に関する。【００１６】
また、本発明の別の側面としては、前記（Ａ）成分と前記（Ｂ）成分の含有量の合計に対する前記（Ｂ）成分の質量比が、（Ｂ）成分／｛（Ａ）成分＋（Ｂ）成分｝＝２／１０〜５／１０であることを特徴とする液体洗浄剤組成物に関する。
【発明の効果】
【００１７】
本発明の液体洗浄剤組成物は、界面活性剤を高濃度に含有し、かつ低温保存安定性が良好であり、洗浄時における低温溶解性及び皮脂洗浄力に優れる。
【発明を実施するための形態】
【００１８】
以下、本発明を詳細に説明する。
本発明の液体洗浄剤組成物は、以下に示す（Ａ）〜（Ｃ）成分を含有する。
＜（Ａ）成分＞
（Ａ）成分は、下記一般式（１）で表される非イオン性界面活性剤である。
Ｒ１Ｏ（ＣＨ２ＣＨ２Ｏ）ｎＨ    ・・・（１）
【００１９】
式（１）中、Ｒ１は炭素数１０〜２２の直鎖状のアルキル基である。アルキル基が直鎖状であることにより、洗浄性が向上する。また、アルキル基の炭素数が１０以上であることで皮脂洗浄力が向上し、炭素数が２２以下であることで低温保存安定性、及び洗浄時における低温溶解性も良好になる。
アルキル基の炭素数は１０〜２０が好ましく、１０〜１８がより好ましい。
Ｒ１は原料のアルコール（Ｒ１−ＯＨ）に由来し、前記アルコールとしては例えば１級の高級アルコール、高級脂肪酸、及び高級脂肪酸アミド等が挙げられる。
Ｒ１のアルキル基の具体例としては、デシル、ウンデシル、ドデシル、トリデシル、テトラデシル、ヘキサデシル、ステアリル、イコシル等が挙げられる。
【００２０】
ｎはエチレンオキサイドの平均付加モル数を示す。ｎは５〜２０であり、８〜１８が好ましく、１０〜１６が特に好ましい。ｎが上記範囲内であれば、皮脂洗浄力が向上する。
【００２１】
（Ａ）成分において、エチレンオキサイドの付加モル数分布は特に制限されない。付加モル数分布は、（Ａ）成分の製造時の反応方法によって変動する。例えば、一般的な水酸化ナトリウムや水酸化カリウムなどのアルカリ触媒を用いて酸化エチレンを疎水性原料に付加させた際には、比較的広い分布となる傾向にある。また、特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、及びＭｎ２＋等の金属イオンを添加した酸化マグネシウム等の、特定のアルコキシル化触媒を用いて酸化エチレンを疎水基原料に付加させた際には、比較的狭い分布となる傾向にある。
【００２２】
（Ａ）成分の具体例としては、Ｐ＆Ｇ社製の商品名「ＣＯ−１２１４」や「ＣＯ−１２７０」等の天然アルコールに、平均付加モル数が１２モル又は１５モルになるようにエチレンオキサイドを付加したものなどが挙げられる。
（Ａ）成分は、１種類のみを単独で用いてもよく、２種類以上を組み合わせて使用してもよい。
【００２３】
＜（Ｂ）成分＞
（Ｂ）成分は、下記一般式（２）で表される化合物及び下記一般式（３）で表される化合物からなる群から選ばれる少なくとも１種の陰イオン性界面活性剤である。
Ｒ２ＣＨ（ＳＯ３Ｍ１）ＣＯＯＲ３    ・・・（２）
Ｒ４ＣＨ（ＳＯ３Ｍ２）ＣＯＮＨＲ５    ・・・（３）
【００２４】
式（２）中、Ｒ２は炭素数９〜１４の直鎖状もしくは分岐鎖状のアルキル基、又は炭素数９〜１６の直鎖状もしくは分岐鎖状のアルケニル基である。アルキル基の炭素数が９以上であることで皮脂洗浄力が向上し、炭素数が１４以下であることで低温保存時の析出を抑制できる。
皮脂洗浄力や低温時の粘度の増加を防止する観点から、アルキル基の炭素数は１０〜１４が好ましく、１０〜１２がより好ましい。一方、アルケニル基の炭素数は１０〜１６が好ましく、１０〜１２がより好ましい。
【００２５】
Ｒ３は炭素数１〜３の直鎖状もしくは分岐鎖状のアルキル基である。アルキル基の炭素数が１以上であることで低温保存時の析出を抑制でき、炭素数が３以下であることで洗浄時の低温溶解性が良好になる。
アルキル基の炭素数は１〜２が好ましい。
【００２６】
Ｍ１は対イオンを表し、Ｒ２ＣＨ（ＣＯＯＲ３）ＳＯ３−とともに水溶性の塩を形成するもので、アルカリ金属、アルカリ土類金属、水酸基を有していてもよい総炭素数が１〜６であるプロトン化された１〜３級アミン、又はアンモニウムである。前記アルカリ金属及びアルカリ土類金属は陽イオンとして存在することができ、Ｒ２ＣＨ（ＣＯＯＲ３）ＳＯ３−と結合するそれらの原子数は、前記陽イオンの価数に応じて変化する。
アルカリ金属としてはナトリウム、及びカリウム等が挙げられ、アルカリ土類金属としてはカルシウム等が挙げられる。
総炭素数が１〜６であるプロトン化された１〜３級アミンは、水酸基を有していてもよいし、有していなくてもよいが、洗浄時の低温溶解性が良好になるという観点で水酸基を有していることが好ましい。このような１〜３級アミンとしてはアルカノールアミンが挙げられ、具体的にはモノエタノールアミン、ジエタノールアミン、及びトリエタノールアミン等が挙げられる。
Ｍ１としては、ナトリウム、モノエタノールアミン、及びトリエタノールアミンが好ましい。
【００２７】
一般式（２）で表される化合物としては、例えばα−スルホ脂肪酸エステル塩（ＭＥＳ）が挙げられる。具体的にはα−スルホラウリン酸メチルエステルモノエタノールアミン塩、α−スルホラウリン酸メチルエステルナトリウム塩、及びα−スルホパルミチン酸メチルエステルモノエタノールアミン塩などが挙げられる。
一般式（２）で表される化合物は、１種類のみを単独で用いてもよく、２種類以上を組み合わせて使用してもよい。
【００２８】
一方、式（３）中、Ｒ４は炭素数９〜１４の直鎖状もしくは分岐鎖状のアルキル基、又は炭素数９〜１６の直鎖状もしくは分岐鎖状のアルケニル基である。アルキル基の炭素数が９以上であることで皮脂洗浄力が向上し、炭素数が１４以下であることで低温保存時の析出を抑制できる。
皮脂洗浄力や低温時の粘度の増加を防止する観点から、アルキル基の炭素数は１０〜１４が好ましく、１２〜１４がより好ましい。一方、アルケニル基の炭素数は１０〜１６が好ましく、１２〜１６がより好ましい。
なお、Ｒ２とＲ４は、それぞれ同一であってもよいし、異なっていてもよい。
Ｒ２のアルキル基の具体例としては、ノニル、２級ノニル、デシル、２級デシル、ウンデシル、２級ウンデシル、ドデシル、２級ドデシル、トリデシル、イソトリデシル、２級トリデシル、テトラデシル、２級テトラデシル等が挙げられる。
Ｒ２のアルケニル基の具体例としては、ノネニル、デセニル、ウンデセニル、ドデセニル、テトラデセニル等が挙げられる。
Ｒ４のアルキル基の具体例としては、ノニル、２級ノニル、デシル、２級デシル、ウンデシル、２級ウンデシル、ドデシル、２級ドデシル、トリデシル、イソトリデシル、２級トリデシル、テトラデシル、２級テトラデシル等が挙げられる。
Ｒ４のアルケニル基の具体例としては、ノネニル、デセニル、ウンデセニル、ドデセニル、テトラデセニル等が挙げられる。
【００２９】
Ｒ５は水素、又は水酸基を有していてもよい炭素数１〜３の直鎖状もしくは分岐鎖状のアルキル基である。アルキル基の炭素数が１以上であることで低温保存時の析出を抑制でき、炭素数が３以下であることで洗浄時の低温溶解性が良好になる。
アルキル基の炭素数は２〜３が好ましい。
アルキル基は１個以上の水酸基を有していてもよいし、有していなくてもよいが、洗浄時の低温溶解性が良好になるという観点で水酸基を有していることが好ましい。直鎖状のアルキル基の方が分岐鎖状のアルキル基より低温保存安定性に優れている。
【００３０】
Ｍ２は対イオンを表し、Ｒ４ＣＨ（ＣＯＮＨＲ５）ＳＯ３−とともに水溶性の塩を形成するもので、アルカリ金属、アルカリ土類金属、水酸基を有していてもよい総炭素数が１〜６であるプロトン化された１〜３級アミン、又はアンモニウムである。前記アルカリ金属及びアルカリ土類金属は陽イオンとして存在することができ、Ｒ４ＣＨ（ＣＯＮＨＲ５）ＳＯ３−と結合するそれらの原子数は、前記陽イオンの価数に応じて変化する。
アルカリ金属としてはナトリウム、及びカリウム等が挙げられ、アルカリ土類金属としてはカルシウム等が挙げられる。
水酸基を有していてもよい総炭素数が１〜６であるプロトン化された１〜３級アミンは、水酸基を有していてもよいし、有していなくてもよいが、洗浄時の低温溶解性が良好になるという観点で水酸基を有していることが好ましい。このような１〜３級アミンとしてはアルカノールアミンが挙げられ、具体的にはモノエタノールアミン、ジエタノールアミン、及びトリエタノールアミン等が挙げられる。
Ｍ２としては、ナトリウム、モノエタノールアミン、及びトリエタノールアミンが好ましい。
なお、Ｍ１とＭ２は、それぞれ同一であってもよいし、異なっていてもよい。
【００３１】
一般式（３）で表される化合物としては、例えばα−スルホ脂肪酸エステル塩の誘導体が挙げられる。具体的にはα−スルホラウリン酸モノエタノールアミドナトリウム塩、及びα−スルホラウリン酸イソプロパノールアミドナトリウム塩などが挙げられる。
一般式（３）で表される化合物は、１種類のみを単独で用いてもよく、２種類以上を組み合わせて使用してもよい。
【００３２】
（Ｂ）成分としては、一般式（２）で表される化合物でもよく、一般式（３）で表される化合物でもよく、これらを併用してもよいが、特に一般式（３）で表される化合物が好ましい。一般式（３）で表される化合物は、一般式（２）で表される化合物に比べて分子構造がバルキー（すなわち、立体障害が大きい）である。立体障害が大きいほど液晶相の形成を妨げる傾向にあるので、界面活性剤を高濃度に含有しても粘度の増加を抑制できる。
【００３３】
上述した（Ａ）成分は、本発明の液体洗浄剤組成物へ洗浄性能（特に皮脂洗浄力）を付与することを主目的として配合される。一方、（Ｂ）成分は液晶相の形成を妨げる作用を有するとともに、塩であるため水への溶解性に優れる。従って、本発明の液体洗浄剤組成物は、（Ａ）成分及び（Ｂ）成分を併用することで、粘度の増加が抑制されるので界面活性剤を高濃度に含有でき、皮脂洗浄力に優れる。また、洗濯時に水で希釈されてもゲル化しにくいので、優れた皮脂洗浄力を効果的に発揮できる。
ただし、（Ａ）成分を含有しても、（Ｂ）成分を含有しないと液体洗浄剤組成物を洗濯機等へ投入する際に、ゲル化が発生して水へ溶解しにくくなり、十分な皮脂洗浄力が発現されにくくなることがある。
また、（Ａ）成分を含有せずに（Ｂ）成分を高濃度に含有すると、水に溶けにくい析出物が発生しやすくなり、低温保存安定性や溶解性が低下する。溶解性の低下は特に冬場などで低温の水を使用する場合に顕著である。
【００３４】
（Ａ）成分の含有量は、液体洗浄剤組成物１００質量％中、２０〜６０質量％が好ましく、２５〜５５質量％がより好ましく、３０〜４５質量％が特に好ましい。（Ａ）成分の含有量が２０質量％以上であれば、液体洗浄剤組成物に高い皮脂洗浄力を付与できる。一方、（Ａ）成分の含有量が６０質量％以下であれば、液体洗浄剤組成物の溶解性及び低温保存安定性を良好に維持できる。
一方、（Ｂ）成分の含有量は、液体洗浄剤組成物１００質量％中、４〜４５質量％が好ましく、９〜４０質量％がより好ましく、１０〜３５質量％が特に好ましい。（Ｂ）成分の含有量が４質量％以上であれば、低温時の粘度の増加を抑制できるので、液体洗浄剤組成物に保存安定性（特に低温保存安定性）及び溶解性を付与できる。一方、（Ｂ）成分の含有量が４５質量％以下であれば、液体洗浄剤組成物の皮脂洗浄力を良好に維持できる。
【００３５】
また、本発明の液体洗浄剤組成物においては、（Ａ）成分と（Ｂ）成分の含有量の合計が、液体洗浄剤組成物１００質量％中、４０〜７５質量％である。含有量の合計は４５〜７０質量％が好ましく、５０〜６５質量％がより好ましい。含有量の合計が４０質量％以上であれば、液体洗浄剤組成物に皮脂洗浄力を付与でき、濃縮型の液体洗浄剤としての機能を十分に発現できる。一方、含有量の合計が７５質量％以下であれば、液体洗浄剤組成物の低温保存安定性を良好に維持できる。
【００３６】
また、（Ａ）成分と（Ｂ）成分の含有量の合計に対する（Ｂ）成分の質量比は、（Ｂ）成分／｛（Ａ）成分＋（Ｂ）成分｝＝１／１０〜６／１０であり、２／１０〜５／１０が好ましく、２／１０〜４／１０がより好ましい。（Ａ）成分と（Ｂ）成分の含有量の合計に対する（Ｂ）成分の質量比が上記範囲内であれば、液体洗浄剤組成物に低温保存安定性、低温溶解性、及び皮脂洗浄力を付与できる。（Ｂ）成分の比率が低すぎると液体洗浄剤組成物としての低温溶解性が低下する。一方、（Ｂ）成分の比率が高すぎると液体洗浄剤組成物としての皮脂洗浄力が低下する。
なお、（Ａ）成分と（Ｂ）成分の含有量の合計に対する（Ｂ）成分の質量比が上記範囲を満たしていても、（Ａ）成分と（Ｂ）成分の含有量の合計が７５質量％を超えると、流動性や低温溶解性が低下することがある。
【００３７】
＜（Ｃ）成分＞
（Ｃ）成分は、メタノール、エタノール、プロパノール、ブタノール、エチレングリコール、プロピレングリコール、ブチレングリコール、ブチルカルビトール、フェノキシエタノール、及び平均分子量が５７０〜３８００のポリエチレングリコールからなる群から選ばれる少なくとも２種の水性混和性溶剤である。
（Ｃ）成分は、液体洗浄剤組成物に低温保存安定性及び低温溶解性を付与するハイドロトロープ剤の役割を果たすが、上述した溶剤を１種単独で使用すると液体洗浄剤組成物が水へ溶けにくくなる。液体洗浄剤組成物の溶解性を上げるには（Ｃ）成分の割合を増やせばよいが、その分、界面活性剤の割合が減ったり、酵素やキレート剤などの機能成分の配合が困難になったりしやすい。
しかし、本発明であれば（Ｃ）成分として上述した溶剤を２種以上併用するので、必要以上に（Ｃ）成分の割合を増やすことなく液体洗浄剤組成物に溶解性を付与できる。また、（Ｃ）成分の割合を増やす必要がないので、界面活性剤の割合が減ることもないし、十分な量の機能成分を配合することもできる。
【００３８】
（Ｃ）成分として用いる溶剤の組み合わせについては特に制限されないが、液晶相の形成を防止しやすく、菌の繁殖を抑制しやすい点で、少なくともエタノールを用いるのが好ましい。さらに、エタノールを用いることで低温溶解性や低温保存安定性がより向上する。
また、１価アルコールに分類されるメタノール、エタノール、プロパノール、ブタノール、及びフェノキシエタノールの中から１種以上と、多価アルコールに分類されるエチレングリコール、プロピレングリコール、ブチレングリコール、ブチルカルビトール、及びポリエチレングリコールの中から１種以上とを組み合わせて用いるのが好ましい。
１価アルコールの中ではエタノールの他、フェノキシエタノールが好ましい。
一方、多価アルコールの中ではエチレングリコール、ポリエチレングリコール、及びプロピレングリコールが好ましく、増粘を抑制して液体洗浄剤組成物の低温溶解性や低温保存安定性をより向上させ、後述する任意成分を安定に溶解できる点で平均分子量が５７０〜３８００のポリエチレングリコールが特に好ましい。平均分子量が５７０〜３８００のポリエチレングリコールの中でも、より好ましくは５７０〜１０５０であり、特に好ましくは９５０〜１０５０である。
【００３９】
なお平均分子量は日本国医薬部外品原料規格２００６記載の平均分子量を示し、平均分子量５７０〜３８００のポリエチレングリコールとしては、ポリエチレングリコール６００（平均分子量５７０〜６３０）、ポリエチレングリコール１０００（平均分子量９５０〜１０５０）、ポリエチレングリコール２０００（平均分子量１８５０〜２１５０）、及びポリエチレングリコール４０００（平均分子量２６００〜３８００）が該当する。商品によっては、例えばポリエチレングリコール＃１０００のように、ポリエチレングリコールと数値の間に＃がつく場合がある。
（Ｃ）成分としては、エタノールと、平均分子量が５７０〜１０５０のポリエチレングリコールの組み合わせが好ましく、エタノールと、平均分子量が９５０〜１０５０のポリエチレングリコールの組み合わせが特に好ましい。
【００４０】
（Ｃ）成分の含有量は、液体洗浄剤組成物１００質量％中、２〜２０質量％が好ましく、２〜１５質量％がより好ましい。（Ｃ）成分の含有量が２質量％以上であれば、液体洗浄剤組成物に低温保存安定性及び低温溶解性を付与できる。一方、（Ｃ）成分の含有量が２０質量％以下であれば、液体洗浄剤組成物に十分な量の任意成分を配合できる。
なお、（Ｃ）成分としてエタノールを用いる場合、その含有量は液体洗浄剤組成物１００質量％中、３〜１０質量％が好ましい。また、（Ｃ）成分としてポリエチレングリコールを用いる場合、その含有量が液体洗浄剤組成物１００質量％中、２〜８質量％が好ましい。
【００４１】
＜任意成分＞
本発明の液体洗浄剤組成物は、上述した（Ａ）〜（Ｃ）成分を必須の成分として含むものであり、（Ａ）〜（Ｃ）成分のみから構成されていてもよく、本発明の効果を損なわない範囲内で必要に応じて、任意成分として水、（Ａ）〜（Ｂ）成分以外のその他の界面活性剤、及びその他の成分などを含有してもよい。
【００４２】
（水）
本発明の液体洗浄剤組成物は、調製のしやすさや、保存安定性及び水への溶解性などの観点から、水を含有するのが好ましい。
水の含有量は、液体洗浄剤組成物１００質量％中、１５〜５０質量％が好ましく、２０〜４５質量％がより好ましい。
【００４３】
（その他の界面活性剤）
その他の界面活性剤としては、（Ａ）成分以外の非イオン性界面活性剤、（Ｂ）成分以外の陰イオン性界面活性剤、陽イオン性界面活性剤、及び両性界面活性剤などが挙げられる。
（Ａ）成分以外の非イオン性界面活性剤としては、例えばアルキルフェノール、高級脂肪酸又は高級アミン等のアルキレンオキサイド付加体、ポリオキシエチレンポリオキシプロピレンブロックコポリマー、脂肪酸アルカノールアミン、脂肪酸アルカノールアミド、多価アルコール脂肪酸エステル又はそのアルキレンオキサイド付加体、多価アルコール脂肪酸エーテル、アルキル（又はアルケニル）アミンオキサイド、硬化ヒマシ油のアルキレンオキサイド付加体、糖脂肪酸エステル、Ｎ−アルキルポリヒドロキシ脂肪酸アミド、及びアルキルグリコシド等が挙げられる。
【００４４】
（Ｂ）成分以外の陰イオン性界面活性剤としては、例えば直鎖アルキルベンゼンスルホン酸又はその塩、α−オレフィンスルホン酸塩、直鎖又は分岐鎖のアルキル硫酸エステル塩、アルキルエーテル硫酸エステル塩又はアルケニルエーテル硫酸エステル塩、アルキル基を有するアルカンスルホン酸塩、高級脂肪酸塩、アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型、アルキルリン酸エステル塩、ポリオキシアルキレンアルキルリン酸エステル塩、ポリオキシアルキレンアルキルフェニルリン酸エステル塩、及びグリセリン脂肪酸エステルモノリン酸エステル塩等のリン酸エステル型陰イオン性界面活性剤等が挙げられる。
【００４５】
陽イオン性界面活性剤としては、例えばアルキルトリメチルアンモニウム塩、ジアルキルジメチルアンモニウム塩、アルキルベンジルジメチルアンモニウム塩、及びアルキルピリジニウム塩の陽イオン性界面活性剤等が挙げられる。
両性界面活性剤としては、例えばアルキルベタイン型、アルキルアミドベタイン型、イミダゾリン型、アルキルアミノスルホン型、アルキルアミノカルボン酸型、アルキルアミドカルボン酸型、アミドアミノ酸型、リン酸型両性界面活性剤等が挙げられる。
【００４６】
（その他の成分）
本発明の液体洗浄剤組成物は、洗浄性能がより向上する観点から、衣料用の液体洗浄剤に通常用いられる酵素を含有できる。
酵素としては、Ｎｏｖｏｚｙｍｅｓ（ノボザイムズ）社製の商品名「リカナーゼ（Ｌｉｑｕａｎａｓｅ）」、「サビナーゼ（Ｓａｖｉｎａｓｅ）」、「アルカラーゼ（Ａｌｃａｌａｓｅ）」、「エバラーゼ（Ｅｖｅｒｌａｓｅ）」、「カンナーゼ（Ｋａｎｎａｓｅ）」、及び「エスペラーゼ（Ｅｓｐｅｒａｚｅ）」；昭和電工（株）製の商品名「ＡＰＩ２１」；ＧＥＮＥＮＣＯＲ（ジェネンコア）社製の商品名「マクサターゼ（Ｍａｘｔａｚｅ）」、「マクサカル（Ｍａｘａｃａｌ）」、「ピュラフェクト（Ｐｕｒａｆｅｃｔ）」、「マクサぺム」、及び「プロペラーゼ（Ｐｒｏｐｅｒａｓｅ）」；花王（株）製の商品名「ＫＡＰ」；特開平５−２５４９２号公報に記載の商品名「プロテアーゼＫ−１４」、及び「Ｋ−１６」；ノボザイムズ社製の商品名「ターマミル（Ｔｅｒｍａｍｙｌ）」、「デュラミル（Ｄｕｒａｍｙｌ）」、「ステインザイム（Ｓｔａｉｎｚｙｍｅ）」、「プロモザイム（Ｐｒｏｍｏｚｙｍｅ）２００Ｌ」；ジェネンコア社製の商品名「マキサミル（Ｍａｘａｍｙｌ）」；天野エンザイム（株）製の商品名「プルラナーゼアマノ」；生化学工業（株）製の商品名「ＤＢ−２５０（Ａｅｒｏｂａｃｔｅｒ  ａｅｒｏｇｅｎｅｓ  ＡＴＣＣ９６２１由来のプルラナーゼ：クルード又は結晶化品）」；ノボザイムズ社製の商品名「リポラーゼ」、「リポラーゼウルトラ」、「ライペックス」、及び「ライペックス１００Ｌ」；及び昭和電工（株）製の商品名「リポサム」等の市販のリパーゼ（リパーゼ製剤）が挙げられる。
【００４７】
酵素の含有量は、液体洗浄剤組成物１００質量％中、０．１〜３質量％が好ましい。酵素の含有量が０．１質量％以上であれば、各種汚れに対する洗浄力（特に皮脂汚れ等の油性汚れに対する洗浄力）が向上する。また、酵素の含有量が３質量％以下であれば、各種汚れに対する洗浄力が充分に得られやすく、経済的にも有利となる。
【００４８】
さらに、本発明の液体洗浄剤組成物は、パラトルエンスルホン酸、安息香酸塩（防腐剤としての効果もある）、並びに尿素等の減粘剤及び可溶化剤を、例えば０．０１〜１５質量％含むことができる。
また、マロン酸、コハク酸、リンゴ酸、ジグリコール酸、酒石酸、及びクエン酸等の金属イオン疎捕捉剤を、例えば０．１〜２０質量％含むことができる。
また、ブチルヒドロキシトルエン、ジスチレン化クレゾール、亜硫酸ナトリウム及び亜硫酸水素ナトリウム等の酸化防止剤を、例えば０．０１〜２質量％含むことができる。
また、ローム・アンド・ハウス社製の商品名「ケーソンＣＧ」等の防腐剤を、例えば０．００１〜１質量％含むことができる。
【００４９】
さらに、本発明の液体洗浄剤組成物は、洗浄性能や安定性の向上等を目的として、柔軟性付与剤や風合い向上剤、アルカノールアミン等のアルカリビルダー、ｐＨ調整剤、（Ｃ）成分以外のハイドロトロープ剤、蛍光剤、移染防止剤、再汚染防止剤、パール剤、及びソイルリリース剤等を含むことができる。
柔軟性付与剤としては、例えばカプリル酸ジメチルアミノプロピルアミド、カプリン酸ジメチルアミノプロピルアミド、ラウリン酸ジメチルアミノプロピルアミド、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、及びオレイン酸ジメチルアミノプロピルアミド等の長鎖脂肪族アミドアルキル３級アミン又はこれらの塩；パルミチン酸ジエタノールアミノプロピルアミド；及びステアリン酸ジエタノールアミノプロピルアミド等が挙げられる。例えば、ステアリン酸ジメチルアミノプロピルアミドを１〜５質量％含むことができる。
風合い向上剤としては、例えば東レ・ダウコーニング（株）製の商品名「ＣＦ１１８８ＨＶ」、「ＳＨ３７４８」、「ＳＨ３７９４」、「ＳＨ３７７２Ｍ」、「ＳＨ３７７５Ｍ」、「ＳＦ８４１０」、「ＳＨ８７００」、「ＢＹ２２−００８」、「ＢＹ２２−０１２」、「ＳＩＬＷＥＴ  Ｌ−７００１」、「ＳＩＬＷＥＴ  Ｌ−７００２」、「ＳＩＬＷＥＴ  Ｌ−７６０２」、「ＳＩＬＷＥＴ  Ｌ−７６０４」、「ＳＩＬＷＥＴ  ＦＺ−２１０４」、「ＳＩＬＷＥＴ  ＦＺ−２１２０」、「ＳＩＬＷＥＴ  ＦＺ−２１６１」、「ＳＩＬＷＥＴ  ＦＺ−２１６２」、「ＳＩＬＷＥＴ  ＦＺ−２１６４」、「ＳＩＬＷＥＴ  ＦＺ−２１７１」、「ＡＢＮ  ＳＩＬＷＥＴ  ＦＺ−Ｆ１−００９−０１」、及び「ＡＢＮ  ＳＩＬＷＥＴ  ＦＺ−Ｆ１−００９−０２」、「ＡＢＮ  ＳＩＬＷＥＴ  ＦＺ−Ｆ１−００９−０３」、「ＡＢＮ  ＳＩＬＷＥＴ  ＦＺ−Ｆ１−００９−０５」、「ＡＢＮ  ＳＩＬＷＥＴ  ＦＺ−Ｆ１−００９−０９」、「ＡＢＮ  ＳＩＬＷＥＴ  ＦＺ−Ｆ１−００９−１１」、「ＡＢＮ  ＳＩＬＷＥＴ  ＦＺ−Ｆ１−００９−１３」、「ＡＢＮ  ＳＩＬＷＥＴ  ＦＺ−Ｆ１−００９−５４」、「ＡＢＮ  ＳＩＬＷＥＴ  ＦＺ−２２−２２」；信越化学工業（株）製の商品名「Ｘ−２０−８０１０Ｂ」、「ＫＦ３５２Ａ」、「ＫＦ６００８」、「ＫＦ６１５Ａ」、「ＫＦ６０１２」、「ＫＦ６０１６」、及び「ＫＦ６０１７」；及びＧＥ東芝シリコーン（株）製の商品名「ＴＳＦ４４５０」、「ＴＳＦ４４５２」、及び「ＴＳＦ４４４５」等のポリエーテル変性シリコーンを用いることができる。前記ポリエーテル変性シリコーンは、液体洗浄剤組成物中、０．１〜３質量％含むことができる。
【００５０】
上記の他、商品の付加価値向上等を目的として、着香剤、着色剤や乳濁化剤、及び天然物等を含むこともできる。
着香剤としては、代表的な例として、特開２００２−１４６３９９号公報に記載の香料組成物などが使用でき、好ましい配合量としては、０．１〜１質量％である。
着色剤としては、「アシッドレッド１３８」、「Ｐｏｌａｒ  Ｒｅｄ  ＲＬＳ」、「アシッドイエロー２０３」、「アシッドブルー９」、「青色１号」、「青色２０５号」、「緑色３号」、及び「ターコイズＰ−ＧＲ」（いずれも商品名）等の汎用の色素や顔料を、例えば０．００００５〜０．００５質量％程度含むことができる。
乳濁剤は、ポリスチレンエマルション、及びポリ酢酸ビニルエマルジョン等が挙げられ、通常、固形分３０〜５０質量％のエマルションが好適に用いられる。具体例としては、ポリスチレンエマルション（サイデン化学社製の商品名「サイビノールＲＰＸ−１９６  ＰＥ−３」、固形分４０質量％）等を、０．０１〜０．５質量％含むことができる。
天然物などのエキスとしては、イヌエンジュ、ウワウルシ、エキナセア、コガネバナ、キハダ、オウレン、オールスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シャクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ヤマビシ、ヤブガラシ、カンゾウ、及びセイヨウオトギリソウなどの植物が挙げられ、これらを例えば、０〜０．５質量％程度含むことができる。
【００５１】
＜物性＞
本発明の液体洗浄剤組成物は、２５℃でのｐＨが４〜９であることが好ましく、４〜８であることがより好ましい。ｐＨが上記範囲内であれば、特に液体洗浄剤組成物を長期間保存しても、経時安定性を良好に保つことができる。
液体洗浄剤組成物のｐＨはｐＨ調整剤により調整できる。ｐＨ調整剤としては、塩酸、硫酸、リン酸等の無機酸；多価カルボン酸類、及びヒドロキシカルボン酸類等の有機酸；水酸化ナトリウム；水酸化カリウム；アルカノールアミン；及びアンモニア等が挙げられる。これらの中でも、液体洗浄剤組成物の経時安定性の面から、硫酸、水酸化ナトリウム、水酸化カリウム、及びアルカノールアミンが好ましい。これらｐＨ調整剤は、１種又は２種以上混合して用いることができる。
また、液体洗浄剤組成物のｐＨの微調整用として無機酸（好ましくは塩酸、硫酸）又は水酸化カリウム等をさらに添加することができる。
なお、本発明において、液体洗浄剤組成物（２５℃に調温）のｐＨは、ｐＨメーター（東亜ディーケーケー（株）製、製品名「ＨＭ−３０Ｇ」）等により測定される値である。
【００５２】
また、本発明の液体洗浄剤組成物は、２５℃での粘度が４０〜１５０ｍＰａ・ｓであることが好ましく、５０〜１３０ｍＰａ・ｓであることがより好ましい。
特に濃縮型の液体洗浄剤は、計量キャップが小さく計り取る量（使用量）が少ないため、適度な粘性を有さない場合は所望の量に液体洗浄剤を計量しにくい。しかし、粘度が４０ｍＰａ・ｓ以上であれば、適度な粘性を保持できるので使用性が良好であり、適切な量を計量しやすくなる。一方、粘度が１５０ｍＰａ・ｓ以下であれば、特に低温時において洗濯機の洗浄剤投入口から液体洗浄剤組成物を投入する際に、ゲル化するのを抑制できる。
【００５３】
液体洗浄剤組成物の粘度は、以下のようにして測定する。
まず、２５℃に設定した恒温槽内にて測定試料を２５℃に加温する。ついで、２５℃に加温した測定試料をＢ型粘度計（（株）東京計器製、製品名「ＶＩＳＣＯＭＥＴＥＲ ＭＯＤＥＬ ＤＶＭ−Ｂ」）にセットし、ローターＮｏ.２〜４の回転数６０ｒｐｍ／ｍｉｎで回転を開始し、測定時間６０秒間の条件にて粘度を測定する。
【００５４】
＜液体洗浄剤組成物の製造＞
本発明の液体洗浄剤組成物は、常法に基づいて製造することができる。例えば上述した（Ａ）〜（Ｃ）成分、及び必要に応じて任意成分を混合することにより製造できる。このとき、水を添加することが好ましい。
【００５５】
このようにして得られる本発明の液体洗浄剤組成物は、衣料用の液体洗浄剤の通常の使用方法と同様の方法で使用できる。すなわち、本発明の液体洗浄剤組成物（本発明品）を、洗濯時に洗濯物と一緒に水に投入する方法、泥汚れや皮脂汚れに本発明品を直接塗布する方法、及び本発明品を予め水に溶かして衣類を浸漬する方法等が挙げられる。また、本発明品を洗濯物に塗布後、適宜放置し、その後、通常の洗濯液を用いて通常の洗濯を行う方法も好ましい。
【００５６】
以上説明した本発明の液体洗浄剤組成物は、上述した（Ａ）〜（Ｃ）成分を含有する。（Ａ）成分は、地球環境に配慮した界面活性剤原料、すなわち天然の油脂原料を加工した生分解性（特に皮脂洗浄力）に優れ、かつ価格面、及び原料供給性に優れた非イオン性界面活性剤である。一方、（Ｂ）成分は界面活性剤の濃度が高くなると形成されやすくなる、液晶相の形成を妨げる作用を有する陰イオン性界面活性剤である。従って、界面活性剤として（Ａ）成分と（Ｂ）成分を併用することで、粘度の増加が抑制されるので界面活性剤を高濃度に含有でき、皮脂洗浄力に優れる。また、洗濯時に水で希釈されてもゲル化しにくいので、優れた皮脂洗浄力を効果的に発揮できる。
【００５７】
さらに、本発明の液体洗浄剤組成物は、（Ｃ）成分を含有することで、低温保存安定性及び低温溶解性に優れる。
液状の洗剤は粘性を有するため、低温保存安定性に欠けると粘度が必要以上に上昇して容器から計り取る際に取り扱いにくくなることがある。このような傾向は冬場において顕著である。
しかし、本発明の液体洗浄剤組成物は低温保存安定性に優れるので、冬場などの低温環境下であっても適度な粘性を維持できるので、取り扱いやすい。
また、特に冬場においては洗剤の溶け残り成分が衣類へ付着することがあったが、本発明の液体洗浄剤組成物は低温溶解性に優れるので、洗剤の溶け残り成分が衣類へ付着しにくい。
【実施例】
【００５８】
以下、本発明を実施例により具体的に説明するが、本発明はこれらに限定されるものではない。【００５９】
＜＜使用原料＞＞
（Ａ）成分として、以下に示す化合物を用いた。
・ａ−１：Ｐ＆Ｇ社製の天然アルコール「ＣＯ−１２７０」（炭素数１２のアルコール／炭素数１４のアルコール＝７０質量％／３０質量％、直鎖率１００％、中間鎖分岐率０％）に対して、平均付加モル数が１５モルになるようにエチレンオキサイドを付加したもの（純分９０％）。
・ａ−２：Ｐ＆Ｇ社製の天然アルコール「ＣＯ−１２１４」（炭素数１２のアルコール／炭素数１４のアルコール＝７１質量％／２９質量％、直鎖率１００％、中間鎖分岐率０％）に対して、平均付加モル数が１５モルになるようにエチレンオキサイドを付加したもの（純分９０％）。
・ａ−３：Ｐ＆Ｇ社製の天然アルコール「ＣＯ−１２７０」に対して、平均付加モル数が１２モルになるようにエチレンオキサイドを付加したもの（純分９０％）。
・ａ−４：Ｐ＆Ｇ社製の天然アルコール「ＣＯ−１２１４」に対して、平均付加モル数が９モルになるようにエチレンオキサイドを付加したもの（純分９０％）。【００６０】
前記ａ−１〜ａ−４は、それぞれ以下のようにして合成した。
（ａ−１の合成）
原料アルコールとしてＰ＆Ｇ社製の天然アルコール「ＣＯ−１２７０」２２４．４ｇと、３０質量％水酸化ナトリウム水溶液２．０ｇを耐圧型反応容器中に採取し、容器内を窒素置換した。次に容器内を温度１００℃、圧力１．５〜２．０ｋＰａに維持しながら３０分間脱水した後、温度を１６０℃まで昇温した。天然アルコールを攪拌しながらエチレンオキサイド（ガス状）７６０．４ｇを、吹き込み管を使って、反応温度が１８０℃を超えないように添加速度を調整しながら天然アルコールの液中に徐々に加えた。
エチレンオキサイドの添加終了後、容器内を温度１８０℃、圧力０．２〜０．３ＭＰａに維持しながら３０分間熟成した後、容器内の圧力を５．５〜６．０ｋＰａに下げ、１０分間未反応のエチレンオキサイドを留去した。
次に、容器内の温度を８０〜１００℃まで下げた後、反応物の１質量％水溶液のｐＨが約７になるように、７０質量％ｐ−トルエンスルホン酸を加えて中和し、ａ−１を得た。【００６１】
（ａ−２の合成）
原料アルコールとしてＰ＆Ｇ社製の天然アルコール「ＣＯ−１２１４」２２４．４ｇを用い、エチレンオキサイドの量を７６０．６ｇに変更した以外はａ−１と同様にして、ａ−２を得た。【００６２】
（ａ−３の合成）
エチレンオキサイドの量を６１０．２ｇに変更した以外はａ−１と同様にして、ａ−３を得た。【００６３】
（ａ−４の合成）
原料アルコールとしてＰ＆Ｇ社製の天然アルコール「ＣＯ−１２１４」２２４．４ｇを用い、エチレンオキサイドの量を４５７．２ｇに変更した以外はａ−１と同様にして、ａ−４を得た。【００６４】
（Ａ）成分以外の非イオン性界面活性剤として、以下に示す化合物を用いた。なお、前記非イオン性界面活性剤を「（Ａ’）成分」とする。
・ａ−５：ポリオキシエチレンラウリルエーテル、ＥＯ（エチレンオキサイド）平均３モル付加体（日本エマルジョン（株）製、商品名「ＥＭＡＬＥＸ７０３」）（純分１００％）。
・ａ−６：ポリオキシエチレンラウリルエーテル、ＥＯ平均２５モル付加体（日本エマルジョン（株）製、商品名「ＥＭＡＬＥＸ７２５」）（純分１００％）。
・ａ−７：Ｃ１２Ｈ２５Ｏ（ＣＨ２ＣＨ２Ｏ）１０（ＣＨ２ＣＨ（ＣＨ３）Ｏ）Ｈ、（純分１００％）。
・ａ−８：Ｃ１４Ｈ２９Ｏ（ＣＨ２ＣＨ２Ｏ）７（ＣＨ２ＣＨ（ＣＨ３）Ｏ）（ＣＨ２ＣＨ２Ｏ）３Ｈ、（純分１００％）。
・ａ−９：ポリオキシエチレン（１５）牛脂アルキルアミン（牛脂アルキルの組成：炭素数１２のアルキル基１質量％、炭素数１４のアルキル基３質量％、炭素数１６のアルキル基３１質量％、炭素数１８のアルキル基２０質量％、炭素数２０のアルキル基１質量％、及び炭素数１８のアルケニル基４４質量％）、ＥＯ平均１５モル付加体（ライオンアクゾ社製、商品名「エソミンＴ／２５」）（純分１００％）。【００６５】
前記ａ−７及びａ−８は、それぞれ以下のようにして合成した。
（ａ−７の合成）
原料アルコールとして新日本理化社製のアルコール「コノール２０Ｐ」１０２６ｇを耐圧型反応容器中に採取し、容器内を窒素置換した。次に容器内を温度１００℃、圧力１．５〜２．０ｋＰａに維持しながら３０分間脱水した後、温度を１４０℃まで昇温した。アルコールを攪拌しながらエチレンオキサイド（ガス状）２０６３ｇを、吹き込み管を使って、反応温度が１８０℃を超えないように添加速度を調整しながらアルコールの液中に徐々に加えた。
エチレンオキサイドの添加終了後、容器内を温度１８０℃、圧力０．２〜０．３ＭＰａに維持しながら３０分間熟成した後、容器内の圧力を５．５〜６．０ｋＰａに下げ、１０分間未反応のエチレンオキサイドを留去した。
次に、容器内の温度を８０〜１００℃まで下げた後、粗反応物１２３１ｇを容器から抜き出し、容器内の温度を１２０℃まで昇温させた。残留反応物を攪拌しながらプロピレンオキサイド（ガス状）１７３ｇを、吹き込み管を使って、反応温度が１２５℃を超えないように添加速度を調整しながら反応物中に徐々に加えた。
プロピレンオキサイドの添加終了後、容器内を温度１２０℃、圧力０．２５〜０．３０ＭＰａに維持しながら２時間熟成した後、容器内の圧力を５．５〜６．０ｋＰａに下げ、１０分間未反応のプロピレンオキサイドを留去し、ａ−７を得た。【００６６】
（ａ−８の合成）
原料アルコールとして新日本理化社製のアルコール「コノール１４９５」１００４ｇと、水酸化カリウム１０．０ｇを耐圧型反応容器中に採取し、容器内を窒素置換した。次に容器内を温度１００℃、圧力１．５〜２．０ｋＰａに維持しながら３０分間脱水した後、温度を１４０℃まで昇温した。アルコールを攪拌しながらエチレンオキサイド（ガス状）１４４４ｇを、吹き込み管を使って、反応温度が１８０℃を超えないように添加速度を調整しながらアルコールの液中に徐々に加えた。
エチレンオキサイドの添加終了後、容器内を温度１８０℃、圧力０．２〜０．３ＭＰａに維持しながら３０分間熟成した後、容器内の圧力を５．５〜６．０ｋＰａに下げ、１０分間未反応のエチレンオキサイドを留去した。
次に、容器内の温度を８０〜１００℃まで下げた後、粗反応物１４６３ｇを容器から抜き出し、容器内の温度を１２０℃まで昇温させた。残留反応物を攪拌しながらプロピレンオキサイド（ガス状）１１０ｇを、吹き込み管を使って、反応温度が１２５℃を超えないように添加速度を調整しながら反応物中に徐々に加えた。
プロピレンオキサイドの添加終了後、容器内を温度１２０℃、圧力０．２〜０．３ＭＰａに維持しながら２時間熟成した後、容器内の圧力を５．５〜６．０ｋＰａに下げ、１０分間未反応のプロピレンオキサイドを留去した。
次に、容器内の温度を１４０℃まで昇温させ、反応物を攪拌しながらエチレンオキサイド（ガス状）２５１ｇを、吹き込み管を使って、反応温度が１８０℃を超えないように添加速度を調整しながら反応物中に徐々に加えた。
エチレンオキサイドの添加終了後、容器内を温度１８０℃、圧力０．２〜０．３ＭＰａに維持しながら３０分間熟成した後、容器内の圧力を５．５〜６．０ｋＰａに下げ、１０分間未反応のエチレンオキサイドを留去し、ａ−８を得た。【００６７】
（Ｂ）成分として、以下に示す化合物を用いた。
・ｂ−１：Ｃ１０Ｈ２１ＣＨ（ＳＯ３ＮＨ３ＣＨ２ＣＨ2ＯＨ）ＣＯＯＣＨ３、（純分１００％）。
・ｂ−２：Ｃ１０Ｈ２１ＣＨ（ＳＯ３Ｎａ）ＣＯＯＣＨ３、（純分１００％）。
・ｂ−３：Ｃ１4Ｈ２９ＣＨ（ＳＯ３ＮＨ３ＣＨ２ＣＨ2ＯＨ）ＣＯＯＣＨ３、（純分１００％）。
・ｂ−４：Ｃ１０Ｈ２１ＣＨ（ＳＯ３Ｎａ）ＣＯＮＨＣＨ２ＣＨ２ＯＨ、（純分１００％）。
・ｂ−５：Ｃ１０Ｈ２１ＣＨ（ＳＯ３Ｎａ）ＣＯＮＨＣＨ２ＣＨ（ＯＨ）ＣＨ３、（純分１００％）。【００６８】
前記ｂ−１〜ｂ−５は、それぞれ以下のようにして合成した。
（ｂ−１の合成）
温度計、攪拌器、滴下ロート、乾燥用塩化カルシウム管を取り付けた１Ｌの４口フラスコに、ラウリン酸メチルエステル５４ｇ（０．２５ｍｏｌ）、及び四塩化炭素５４０ｇを仕込み、反応温度が１０〜１５℃になるように維持しながら無水硫酸２４ｇ（０．３ｍｏｌ）を滴下した。滴下終了後、３時間還流攪拌した。
次に、反応溶媒（四塩化炭素）をエバポレーターを用いて水浴５０℃で留去したのち、メタノール５００ｍＬを添加して２０分間還流攪拌した。その後、０．５ｍｏｌ／Ｌのモノエタノールアミン水溶液で反応液をｐＨ７に調整した。ついで、反応溶媒（メタノール）を減圧下で留去した。その際、発泡するので、イソプロパノールを加え共沸しながら水も留去した。
残渣（粗生成物）をエタノールと水の混合溶液（体積比：エタノール／水＝９／１）で５０〜６０℃に加温、溶解し、不溶物を除去した。ついで、ろ液を５℃に冷却して再結晶した後、析出物を濾別、真空乾燥することでα−スルホラウリン酸メチルエステルモノエタノールアミン塩（ｂ−１）を５８ｇ得た。なお、ｂ−１は、上記一般式（２）に該当する化合物である。【００６９】
（ｂ−２の合成）
０．５ｍｏｌ／Ｌのモノエタノールアミン水溶液の代わりに、２０質量％水酸化ナトリウム水溶液を用いて反応液をｐＨ７に調整した以外はｂ−１と同様にして、α−スルホラウリン酸メチルエステルナトリウム塩（ｂ−２）を得た。なお、ｂ−２は、上記一般式（２）に該当する化合物である。【００７０】
（ｂ−３の合成）
ラウリン酸メチルエステル５４ｇ（０．２５ｍｏｌ）の代わりに、パルミチン酸メチルエステル６８ｇ（０．２５ｍｏｌ）を用いた以外はｂ−１と同様にして、α−スルホパルミチン酸メチルエステルモノエタノールアミン塩（ｂ−３）を得た。なお、ｂ−３は、上記一般式（２）に該当する化合物である。【００７１】
（ｂ−４の合成）
Ｄｅａｎ−Ｓｔａｒｋ装置と攪拌子を取り付けた３００ｍＬ一口ナスフラスコに、α−スルホラウリン酸メチルエステルナトリウム塩２０ｇ（６３．２ｍｍｏl）とトルエン１５０ｍＬを仕込み、１時間還流して脱水した。
その後、室温まで冷却してＤｅａｎ−Ｓｔａｒｋ装置を取り外し、ジムロート冷却管を取り付けた。反応溶液に２−アミノエタノール４．０５ｇ（６６．４ｍｍｏｌ）とナトリウムメトキシド３４２ｍｇ（６．３ｍｍｏＬ）を仕込み、９０℃で４時間攪拌した。その後室温まで放冷して、５Ｎ塩酸水溶液１．３ｍＬを加え、イソプロパノールと共沸しながら溶媒（トルエン）を完全に留去し、固体の粗生成物を得た。
得られた粗生成物をメタノールと水の混合溶液（体積比：メタノール／水＝９／１）で５０℃〜６０℃に加温溶解し、−２０℃で再結晶して析出物を濾別した。この残渣を再度メタノールと水の混合溶液で５０℃〜６０℃に加温溶解した後、−２０℃で再結晶して析出物を濾別、真空乾燥することでｂ−４を１５．４４ｇ得た。
得られたｂ−４（１５ｍｇ）を０．５ｍＬの重水に溶解し、１Ｈ−ＮＭＲ（２７０ＭＨｚ、日本電子データム製、製品名「ＦＴ  ＮＭＲ  ＳＹＳＴＥＭ  ＪＮＭ−ＥＸ２７０」）にて、測定温度２５℃の条件で測定した。重水のピークを４．７５ｐｐｍ基準としたきのケミカルシフトは、δ０．７３（ｂｒ，３Ｈ）、δ１．１５（ｂｒ，１６Ｈ）、δ１．８８（ｂｒ，２Ｈ）、δ３．２４（ｍ，１Ｈ）、δ３．３３（ｍ，１Ｈ），３．５８（ｂｒ，３Ｈ）であった。この結果より、得られたｂ−４は、α−スルホラウリン酸モノエタノールアミドナトリウム塩であることが確認できた。なお、ｂ−４は、上記一般式（３）に該当する化合物である。【００７２】
（ｂ−５の合成）
２−アミノエタノール４．０５ｇ（６６．４ｍｍｏｌ）に代えて、３−アミノ−２-プロパノール４．９８ｇ（６６．４ｍｍｏｌ）を用いた以外はｂ−４と同様にして、固体の粗生成物を得た。
得られた粗生成物をクロロホルムとメタノールと水の混合溶液（体積比：クロロホルム／メタノール／水＝１／１／８）で抽出し、水層を分液してイソプロパノールと共沸しながら減圧下、溶媒（混合溶液）を留去し、真空乾燥することでｂ−５を１８．９ｇ得た。
得られたｂ−５（１５ｍｇ）を０．５ｍＬの重水に溶解し、１Ｈ−ＮＭＲ（２７０ＭＨｚ、日本電子データム製、製品名「ＦＴ  ＮＭＲ  ＳＹＳＴＥＭ  ＪＮＭ−ＥＸ２７０」）にて、測定温度２５℃の条件で測定した。重水のピークを４．７５ｐｐｍ基準としたきのケミカルシフトは、δ０．７１（ｂｒ，３Ｈ）、δ１．０５−１．１５（ｍ＋ｂｒ，１９Ｈ）、δ１．８７（ｂｒ，２Ｈ）、δ３．１８（ｂｒ，２Ｈ）、３．６０（ｂｒ，１Ｈ）、δ３．８２（ｂｒ，１Ｈ）であった。この結果より、得られたｂ−５は、α−スルホラウリン酸イソプロパノールアミドナトリウム塩であることが確認できた。なお、ｂ−５は、上記一般式（３）に該当する化合物である。【００７３】
（Ｂ）成分以外の陰イオン性界面活性剤として、以下に示す化合物を用いた。なお、前記陰イオン性界面活性剤を「（Ｂ’）成分」とする。
・ｂ−６：ポリオキシエチレンアルキルエーテル硫酸ナトリウム（ＡＥＳ）（シェルケミカルズ社製のアルコール「ネオドール２３」（炭素数１２のアルコールと炭素数１３のアルコールとの質量比が１：１の混合物、分岐率２０％）に対して、平均付加モル数が２モルになるようにエチレンオキサイドを付加したもの（純分６６．３％））。【００７４】
前記ｂ−６は、以下のようにして合成した。
４Ｌのオートクレーブ中に、原料アルコールとしてシェルケミカルズ社製の「Ｎｅｏｄｏｌ２３」４００ｇと、触媒として水酸化カリウム０．８ｇとを仕込み、オートクレーブ内を窒素置換し、攪拌しながら昇温した。その後、温度１８０℃、圧力０．３ＭＰａに維持しながらエチレンオキサイド２７２ｇを導入し、エチレンオキサイドの平均付加モル数２の反応物（アルコールエトキシレート）を得た。
次に、上記で得られたアルコールエトキシレート２８０ｇを、攪拌装置付の５００ｍＬフラスコにとり、窒素置換後、液体無水硫酸（サルファン）６７ｇを反応温度４０℃に保ちながらゆっくりと滴下した。滴下終了後、１時間攪拌を続け（硫酸化反応）、ポリオキシエチレンアルキルエーテル硫酸を得た。さらに、これを水酸化ナトリウム水溶液で中和することにより、ポリオキシエチレンアルキルエーテル硫酸ナトリウム（ｂ−６）を得た。【００７５】
（Ｃ）成分として、以下に示す化合物を用いた。
・ｃ−１：エタノール（日本アルコール販売（株）製、商品名「特定アルコール９５度合成」）（純分９５％）。
・ｃ−２：プロピレングリコール（ＢＡＳＦ社製）（純分１００％）。
・ｃ−３：メタノール（純正化学製）（純分１００％）。
・ｃ−４：ブタノール（東京化成（株）製、商品名「１−ブタノール」）（純分１００％）。
・ｃ−５：フェノキシエタノール（東京化成（株）製、商品名「エチレングリコールモノフェニルエーテル」）（純分１００％）。
・ｃ−６：ブチルカルビトール（東京化成（株）製、商品名「ジエチレングリコールモノブチルグリコール」）（純分１００％）。
・ｃ−７：プロパノール（東京化成（株）製、商品名「１−プロパノール」）（純分１００％）。
・ｃ−８：エチレングリコール（東京化成（株）製）（純分１００％）。
・ｃ−９：ブチレングリコール（東京化成（株）製、商品名「１，３−ブタンジオール」）（純分１００％）。
・ｃ−１０：ポリエチレングリコール（ライオン（株）製、商品名「ＰＥＧ＃１０００−Ｌ６０」、平均分子量：９５０〜１０５０）（純分６０％）。
・ｃ−１１：ポリエチレングリコール（ライオン（株）製、商品名「ＰＥＧ＃６００」、平均分子量５７０〜６３０）（純分６０％）【００７６】
任意成分として、以下に示す試薬物を用いた。
・安息香酸ナトリウム：東亜合成製、商品名「安息香酸ナトリウム」（純分１００％）。
・クエン酸：一方社油脂工業（株）製、商品名「液体クエン酸」（純分５０％）。
・パルミチン酸：日本油脂（株）製、商品名「ＮＡＡ−１６０」（純分１００％）。
・パラトルエンスルホン酸：協和発酵キリン（株）製、商品名「ＰＴＳ酸」（純分７０％）。
・リカナーゼ：ノボザイム社製、商品名「リカナーゼ  ウルトラ２．５ＸＬ」（純分１００％）。
・ジブチルヒドロキシトルエン：住友化学（株）製、商品名「ＳＵＭＩＬＺＥＲ  ＢＨＴ−Ｒ」（純分１００％）。
・モノエタノールアミン：（株）日本触媒製（純分７５％）。
・香料：特開２００２−１４６３９９号公報の表１１〜１８記載の香料組成物Ａ（純分１００％）。
・緑３号（色素）：癸巳化成（株）製、商品名「緑色３号」（純分１００％）。【００７７】
液体洗浄剤組成物の調製に用いた各成分の配合量を表１に示す。なお、表１中の値は純分換算量である。また「バランス」とは、液体洗浄剤組成物に含まれる全ての成分の総量が１００質量％になるように調整した、液体洗浄剤組成物中の水の配合量のことである。【００７８】
【表１】
0005613677.tif 000002
【００７９】
＜＜測定・評価方法＞＞
＜粘度の測定＞
液体洗浄剤組成物１００ｇの入ったビーカーを２５℃の恒温槽中に入れて１時間加温した。加温後の液体洗浄剤組成物をＢ型粘度計（（株）東京計器製、製品名「ＶＩＳＣＯＭＥＴＥＲ ＭＯＤＥＬ ＤＶＭ−Ｂ」）にセットし、ローターＮｏ．２あるいは３を用い、ローターの回転数６０ｒｐｍ／ｍｉｎで回転を開始し、測定時間６０秒間の条件にて粘度を測定した。なお比較例３では、ローターＮｏ．４を用い、ローターの回転数６０ｒｐｍ／ｍｉｎで回転を開始し、測定時間６０秒間の条件にて粘度を測定した。【００８０】
＜初期外観の評価＞
液体洗浄剤組成物１００ｇの入ったビーカーを斜めに傾けたときの外観を目視にて観察し、下記基準により初期外観を評価した。
Ａ：流動性がある。
Ｂ：流動性がない。【００８１】
＜低温保存安定性の評価＞
液体洗浄剤組成物１００ｍＬを透明のガラス瓶（広口規格びんＰＳ−ＮＯ．１１）に取り、蓋を閉めて密封した。この状態で室温（２５℃）にて１ヵ月放置し、これを室温保存サンプルとした。
別途、液体洗浄剤組成物１００ｍＬを透明のガラス瓶に取り、蓋を閉めて密封した。この状態で５℃の恒温槽中に置いて１ヶ月保存した。その後、恒温槽から取り出し、室温（２５℃）にて１時間放置した。放置後の内容物の液外観と液粘性を目視にて観察し、下記基準にて低温保存安定性を評価した。
Ａ：外観は透明均一であり、かつ液粘性は室温保存サンプルと同等である。
Ｂ：外観は透明均一であり沈殿物質を認めないが、液粘性が室温保存サンプルよりやや増加したが問題のないレベルであった。
Ｃ：沈殿及び/又は高粘度化が認められた。【００８２】
＜低温溶解性の評価＞
５００ｍＬビーカーに１５℃のイオン交換水３００ｍＬを入れ、マグネットスターラー（ＭＩＴＡＭＵＲＡ  ＫＯＧＹＯ  ＩＮＣ．）を用い、回転数：５００ｒｐｍ／ｍｉｎで攪拌させながら、スポイトを用いて液体洗浄剤組成物０．１ｇを滴下した。液体洗浄剤組成物が完全に溶解するまでの時間（溶解時間）を測定し、下記基準にて低温溶解性を評価した。
Ａ：溶解時間が５０秒間未満。
Ｂ：溶解時間が５０秒間以上、１００秒間未満。
Ｃ：溶解時間が１００秒間以上。【００８３】
＜皮脂洗浄力の評価＞
顔面の皮脂汚れを擦り付けた綿布（綿平織り布、１００番手）を２０ｃｍ角の大きさに裁断したものを１０枚と、市販のＴシャツ（綿１００％、Ｂ．Ｖ．Ｄ．社製）４枚とを電気洗濯機（三菱電機社製、「ＣＷ−Ｃ３０Ａ１型」）に投入した。
ついで、２５℃の水道水約３０Ｌに対し、液体洗浄剤組成物を１０ｍＬの割合で添加し、標準水流で洗浄（１０分間）、脱水（１分間）、標準水流でためすすぎ（２回繰り返し）、脱水（１分間）で順次行う洗浄操作を行った。
皮脂汚れを擦り付けていない綿布を未汚染布、洗浄処理前の綿布を汚染布、洗浄処理後の綿布を洗浄布とした。
未汚染布、汚染布、及び洗浄布それぞれについて、反射率を分光式色差計（日本電色工業社製、「ＳＥ２０００」）にて測定し、下記式（Ｉ）より洗浄率（％）を算出した。
洗浄率（％）＝｛（汚染布のＫ／Ｓ−洗浄布のＫ／Ｓ）／（汚染布のＫ／Ｓ−未汚染布のＫ／Ｓ）｝×１００    ・・・（Ｉ）
式（Ｉ）中、「Ｋ／Ｓ」は、（１−Ｒ／１００）２／（２Ｒ／１００）である（ただし、Ｒは未汚染布、汚染布、又は洗浄布の反射率（％）を示す。）。【００８４】
汚染布１０枚について洗浄率（％）を算出し、その平均値を用いて、下記基準にて皮脂洗浄力を評価した。
Ａ：洗浄率の平均値が７０％以上。
Ｂ：洗浄率の平均値が５０％以上、７０％未満。
Ｃ：洗浄率の平均値が５０％未満。【００８５】
＜＜実施例１〜４８、比較例１〜１４＞＞
５００ｍＬビーカーに、表２〜５に示す配合組成に従って各成分を入れ、マグネットスターラー（ＭＩＴＡＭＵＲＡ  ＫＯＧＹＯ  ＩＮＣ．）で十分に攪拌した。続いて、表１に示す配合量に従って任意成分（精製水を除く）を加えて攪拌しながら、合計が９８質量％になるように精製水を入れ、さらによく攪拌した。２５℃でのｐＨが７．０になるように、ｐＨ調整剤（水酸化ナトリウム又は硫酸）を適量添加した後、合計が１００質量％になるようにさらに精製水を加えて、液体洗浄剤組成物を得た。
得られた液体洗浄剤組成物について、各測定及び評価を行った。結果を表２〜５に示す。
なお、表２〜５中の配合量の単位は質量％であり、いずれの成分も純分換算量を示す。【００８６】
【表２】
0005613677.tif 000003
【００８７】
【表３】
0005613677.tif 000004
【００８８】
【表４】
0005613677.tif 000005
【００８９】
【表５】
0005613677.tif 000006
【００９０】
表２〜４から明らかなように、各実施例で得られた液体洗浄剤組成物は、粘度が増加することなく界面活性剤を高濃度に含有できた。また、これら液体洗浄剤組成物は、低温保存安定性が良好であり、洗浄時における低温溶解性及び皮脂洗浄力に優れていた。
特に、実施例１〜８を比較すると、界面活性剤のうち（Ａ）成分の割合が多くなると皮脂洗浄力が向上する傾向にあり、（Ｂ）成分の割合が多くなると低温溶解性が向上する傾向にあった。また、（Ｂ）成分として上記一般式（３）で表される化合物を用いた方が、一般式（２）で表される化合物を用いた場合よりも粘度の増加が抑制され、低温保存安定性に優れていた。
実施例９〜１４を比較すると、液体洗浄剤組成物中の界面活性剤の濃度（すなわち、（Ａ）成分と（Ｂ）成分の含有量の合計）が多くなると皮脂洗浄力が向上する傾向にあった。また、（Ｂ）成分として一般式（３）で表される化合物を用いた方が、低温保存安定性に優れていた。【００９１】
実施例７と、１５とを比較すると、（Ｂ）成分として上記一般式（３）で表される化合物を用いた方が、（Ｂ）成分として上記一般式（２）で表される化合物を用いた場合よりも、低温保存安定性に優れていた。
実施例３と、１６とを比較すると、（Ｂ）成分として上記一般式（２）で表される化合物のＲ２の炭素数が１０の方が皮脂洗浄力に優れていた。
実施例７と、１７とを比較すると、（Ｂ）成分として上記一般式（３）で表される化合物の中でもＲ５が直鎖状のＣＨ２ＣＨ２ＯＨの化合物を用いた方が、分岐鎖状のＣＨ２ＣＨ（ＯＨ）ＣＨ３の化合物を用いる場合よりも低温保存安定性に優れていた。
実施例３と、１８〜１９とを比較すると、エタノールの含有量が多い実施例３の方が、低温溶解性に優れていた。
実施例７と２０とを比較すると、エタノールの含有量が多い実施例７の方が、低温保存安定性に優れていた。
実施例２１〜３６を比較すると、（Ｂ）成分として一般式（３）で表される化合物を用いた方が、低温保存安定性に優れていた。また、（Ｃ）成分として２種類の溶剤を用いた場合でも３種類の溶剤を用いた場合でも、同様の傾向が見られた。
実施例３、７及び２１〜３６と、３７〜４２とを比較すると、（Ｃ）成分としてエタノール及び／又はポリエチレングリコール以外の溶剤を用いた場合、増粘して低温溶解性や低温保存安定性が低下する傾向にあった。
実施例７と、４３、４４とを比較すると、（Ｃ）成分としてポリエチレングリコールの含有量が２〜８％の範囲内では、低温溶解性及び低温保存安定性の点でいずれも良好な結果が得られた。
実施例７と、４５とを比較すると、（Ｃ）成分として平均分子量５７０〜６３０のポリエチレングリコールであるポリエチレングリコール６００を用いるよりも、平均分子量９５０〜１０５０のポリエチレングリコール１０００を用いた方が低温保存安定性に優れていた。
実施例３及び７と、４６〜５１とを比較すると、（Ａ）成分としてエチレンオキサイドの平均付加モル数（ｎ）が１５の化合物（ａ−１及びａ−２）を用いた方が、ｎ＝１２及び９の化合物（ａ−３及びａ−４）を用いた場合よりも低温溶解性及び皮脂洗浄力に優れていた。また、（Ｂ）成分として一般式（３）で表される化合物を用いた方が、低温保存安定性に優れていた。【００９２】
一方、表５から明らかなように、（Ｂ）成分を含有しない比較例１は、流動性がなく初期外観が悪かった。また、高粘度化しやすく低温保存安定性、及び低温溶解性が低かった。特に、液体洗浄剤組成物を投入した際にゲル化してしまったため、水へほとんど溶解せず、その結果、皮脂洗浄力も低下した。
（Ａ）成分を含有しない比較例２は、皮脂洗浄力が低かった。また、（Ｂ）成分を高濃度に含有するため、水に溶けにくい析出物が発生し、低温保存安定性及び低温溶解性も低かった。
（Ｃ）成分として１種類の溶剤を用いた比較例３及び４は、低温保存安定性、低温溶解性、および皮脂洗浄力が低かった。特にエタノールを含有しない比較例３は、初期外観が悪かった。
（Ａ）成分の代わりに（Ａ’）成分を用いた比較例５及び６は、（Ｂ）成分の効果により室温では高粘度化が抑制されるが、水で希釈するとゲル化が発生しやすく、低温溶解性及び皮脂洗浄力が低下した。特に、（Ａ）成分の代わりにａ−６を用いた比較例６は、低温で高粘度化が発生しやすいため、低温保存安定性も低かった。
（Ｂ）成分の代わりに（Ｂ’）成分を用いた比較例７は、高粘度化しやすく低温保存安定性、および低温溶解性が低かった。特に、液体洗浄剤組成物を投入した際にゲル化してしまったため、水へほとんど溶解せず、その結果、皮脂洗浄力も低下した。
（Ｂ）成分を含有せず、代わりに（Ａ’）成分を用いた比較例８〜１０は、高粘度化しやすく低温保存安定性、及び低温溶解性が低かった。
（Ａ）成分と（Ｂ）成分の含有量の合計が３５質量％の比較例１１は、皮脂洗浄力が低かった。
（Ａ）成分と（Ｂ）成分の含有量の合計が８０質量％の比較例１２は、高粘度化しやすく低温保存安定性が低かった。また、初期外観が悪く、低温溶解性も低かった。
（Ａ）成分と（Ｂ）成分の含有量の合計に対する（Ｂ）成分の質量比が０．５／１０の比較例１３は、低温保存安定性及び低温溶解性が低かった。
（Ａ）成分と（Ｂ）成分の含有量の合計に対する（Ｂ）成分の質量比が７／１０の比較例１４は、低温保存安定性及び皮脂洗浄力が低かった。
【産業上の利用可能性】
【００９３】
本発明の液体洗浄剤組成物は、界面活性剤を高濃度に含有し、かつ低温保存安定性が良好であり、洗浄時における低温溶解性及び皮脂洗浄力に優れるので、衣料用洗浄剤等に利用可能性がある。